(57)【要約】【課題】利用者に対して推奨エレベーターをより適切に報知することができる推奨エレベーターへの案内装置を提供する。【解決手段】案内装置は、複数のエレベーターの位置の情報を記憶するエレベーター位置情報記憶部と、前記複数のエレベーターの混雑状況を示す情報を取得する混雑状況情報取得部と、利用者が携帯する情報端末の位置の情報を取得する情報端末位置情報取得部と、前記エレベーター位置情報記憶部に記憶される前記複数のエレベーターの位置の情報と前記混雑状況情報取得部に取得される前記複数のエレベーターの混雑状況を示す情報と前記情報端末位置情報取得部に取得される情報端末の位置の情報とに基づいて前記複数のエレベーターの中から推奨エレベーターを選択する推奨エレベーター選択部と、前記推奨エレベーター選択部に選択された推奨エレベーターの情報を利用者が携帯する情報端末に送信する推奨エレベーター情報送信部と、を備えた。【選択図】図４
2018034986.tif 000002
【特許請求の範囲】
【請求項１】
複数のエレベーターの位置の情報を記憶するエレベーター位置情報記憶部と、
前記複数のエレベーターの混雑状況を示す情報を取得する混雑状況情報取得部と、
利用者が携帯する情報端末の位置の情報を取得する情報端末位置情報取得部と、
前記エレベーター位置情報記憶部に記憶される前記複数のエレベーターの位置の情報と前記混雑状況情報取得部に取得される前記複数のエレベーターの混雑状況を示す情報と前記情報端末位置情報取得部に取得される情報端末の位置の情報とに基づいて前記複数のエレベーターの中から推奨エレベーターを選択する推奨エレベーター選択部と、
前記推奨エレベーター選択部に選択された推奨エレベーターの情報を利用者が携帯する情報端末に送信する推奨エレベーター情報送信部と、
を備えた推奨エレベーターへの案内装置。
【請求項２】
前記混雑状況情報取得部は、前記複数のエレベーターの各々に設けられた複数のかごの各々に設けられた複数のカメラの各々が前記複数のかごの各々の内部を撮影する場合に、前記複数のカメラの各々から前記複数のエレベーターの混雑状況を示す情報として前記複数のかごの各々の内部の映像情報を取得する請求項１に記載の推奨エレベーターへの案内装置。
【請求項３】
前記混雑状況情報取得部は、前記複数のエレベーターの各々に設けられた複数のかごの各々に設けられた複数の秤の各々が前記複数のかごの各々の内部に存在する物体の重さを計測する場合に、前記複数の秤装置の各々から前記複数のエレベーターの混雑状況を示す情報として前記複数のかごの各々の内部に存在する物体の重さの情報を取得する請求項１または請求項２に記載の推奨エレベーターへの案内装置。
【請求項４】
前記混雑状況情報取得部は、前記複数のエレベーターの各々に設けられた複数の乗場の各々に設けられた複数のカメラの各々が前記複数の乗場の各々を撮影する場合に、前記複数のカメラの各々から前記複数のエレベーターの混雑状況を示す情報として前記複数の乗場の各々の内部の映像情報を取得する請求項１から請求項３のいずれか一項に記載の推奨エレベーターへの案内装置。
【請求項５】
前記混雑状況情報取得部は、前記複数のエレベーターの各々に設けられた複数の乗場の各々に設けられた複数の秤の各々が前記複数の乗場の各々に存在する物体の重さを計測する場合に、前記複数の秤装置の各々から前記複数のエレベーターの混雑状況を示す情報として前記複数の乗場の各々に存在する物体の重さの情報を取得する請求項１から請求項４のいずれか一項に記載の推奨エレベーターへの案内装置。
【請求項６】
前記混雑状況情報取得部に取得される前記複数のエレベーターの混雑状況を示す情報と当該情報が取得された時刻の情報とを対応付けて記憶する混雑状況情報記憶部と、
前記混雑状況情報記憶部に記憶される情報に基づいて現時点における前記複数のエレベーターの混雑の傾向を推定する混雑傾向推定部と、
を備え、
前記推奨エレベーター選択部は、前記エレベーター位置情報記憶部に記憶される前記複数のエレベーターの位置の情報と前記混雑状況情報取得部に取得される前記複数のエレベーターの混雑状況を示す情報と前記情報端末位置情報取得部に取得される情報端末の位置の情報と前記混雑傾向推定部に推定される現時点における前記複数のエレベーターの混雑の傾向とに基づいて前記複数のエレベーターの中から推奨エレベーターを選択する請求項１から請求項５のいずれか一項に記載の推奨エレベーターへの案内装置。
【発明の詳細な説明】
【技術分野】
【０００１】
この発明は、推奨エレベーターへの案内装置に関する。
【背景技術】
【０００２】
特許文献１は、エレベーターの制御システムを開示する。当該制御システムによれば、利用者に対して呼びを割り当てるエレベーターの候補を報知することができる。
【先行技術文献】
【特許文献】
【０００３】
【特許文献１】特開２０１５−３０６１３号公報
【発明の概要】
【発明が解決しようとする課題】
【０００４】
しかしながら、特許文献１に記載の制御システムは、エレベーターの乗場付近の認証装置が情報端末を認識した際にエレベーターの候補を報知する。このため、エレベーターの候補は、利用者が認証装置の位置に来るまで報知されない。
【０００５】
この発明は、上述の課題を解決するためになされた。この発明の目的は、利用者に対して推奨エレベーターをより適切に報知することができる推奨エレベーターへの案内装置を提供することである。
【課題を解決するための手段】
【０００６】
この発明に係る推奨エレベーターへの案内装置は、複数のエレベーターの位置の情報を記憶するエレベーター位置情報記憶部と、前記複数のエレベーターの混雑状況を示す情報を取得する混雑状況情報取得部と、利用者が携帯する情報端末の位置の情報を取得する情報端末位置情報取得部と、前記エレベーター位置情報記憶部に記憶される前記複数のエレベーターの位置の情報と前記混雑状況情報取得部に取得される前記複数のエレベーターの混雑状況を示す情報と前記情報端末位置情報取得部に取得される情報端末の位置の情報とに基づいて前記複数のエレベーターの中から推奨エレベーターを選択する推奨エレベーター選択部と、前記推奨エレベーター選択部に選択された推奨エレベーターの情報を利用者が携帯する情報端末に送信する推奨エレベーター情報送信部と、を備えた。
【発明の効果】
【０００７】
この発明によれば、推奨エレベーターは、複数のエレベーターの位置と複数のエレベーターの混雑状況と情報端末の位置とに基づいて選択される。このため、利用者に対して推奨エレベーターをより適切に報知することができる。
【図面の簡単な説明】
【０００８】
【図１】この発明の実施の形態１における推奨エレベーターへの案内装置が適用されるエレベーターシステムの構成図である。
【図２】この発明の実施の形態１における推奨エレベーターへの案内装置が適用される複数のエレベーターの配置を説明するための図である。
【図３】この発明の実施の形態１における推奨エレベーターへの案内装置が適用される複数のエレベーターのうちの１つのエレベーターの構成図である。
【図４】この発明の実施の形態１における推奨エレベーターへの案内装置と情報端末とを説明するための図である。
【図５】この発明の実施の形態１における推奨エレベーターへの案内装置が適用されるエレベーターシステムにおいて情報端末に表示される情報を説明するための図である。
【図６】はこの発明の実施の形態１における推奨エレベーターへの案内装置の動作の概要を説明するためのフローチャートである。
【図７】この発明の実施の形態１における推奨エレベーターへの案内装置のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１はこの発明の実施の形態１における推奨エレベーターへの案内装置が適用されるエレベーターシステムの構成図である。
【００１１】
図１において、複数のエレベーター１は、予め設定された領域に設けられる。例えば、小型コンピュータ２は、Ｒａｓｐｂｅｒｒｙ  Ｐｉである。例えば、案内装置３は、ＡＰＩサーバである。例えば、情報端末４は、スマートフォンである。情報端末４は、利用者に携帯される。
【００１２】
複数のエレベーター１の各々は、自らの混雑状況を示す情報を生成する。例えば、場所Ａのエレベーター１は、定員に対して１０％の混雑度であることを示す情報を生成する。例えば、場所Ｂのエレベーター１は、定員に対して５０％の混雑度であることを示す情報を生成する。例えば、場所Ｃのエレベーター１は、定員に対して１００％の混雑度であることを示す情報を生成する。
【００１３】
小型コンピュータ２は、複数のエレベーター１の各々から混雑状況を示す情報を取得する。案内装置３は、小型コンピュータ２から複数のエレベーター１の混雑状況を示す情報を取得する。
【００１４】
例えば、情報端末４は、グローバル・ポジショニング・システムを用いて自らの位置を把握する。例えば、情報端末４は、アプリケーションソフトを用いて自らの位置の情報を案内装置３に送信する。例えば、情報端末４は、携帯電話網を利用して自らの位置の情報を案内装置３に送信する。
【００１５】
案内装置３は、複数のエレベーター１の位置の情報と複数のエレベーター１の混雑状況を示す情報と情報端末４の位置の情報とに基づいて複数のエレベーター１の中から推奨エレベーターを選択する。案内装置３は、情報端末４の位置から推奨エレベーターの位置までの順路を決定する。案内装置３は、推奨エレベーターの情報と推奨エレベーターへの順路の情報とを情報端末４に送信する。例えば、案内装置３は、携帯電話網を利用して推奨エレベーターの情報と推奨エレベーターへの順路の情報とを情報端末４に送信する。
【００１６】
情報端末４は、アプリケーションソフトを利用して推奨エレベーターの情報と自らの位置から推奨エレベーターへの順路の情報とを報知する。例えば、情報端末４は、推奨エレベーターの情報と自らの位置から推奨エレベーターへの順路の情報とを表示する。
【００１７】
利用者は、情報端末４に報知された内容により推奨エレベーターと推奨エレベーターへの順路とを認識する。利用者は、推奨エレベーターへの順路に従って推奨エレベーターまで移動する。
【００１８】
次に、図２を用いて、複数のエレベーター１の配置を説明する。
図２はこの発明の実施の形態１における推奨エレベーターへの案内装置が適用される複数のエレベーターの配置を説明するための図である。
【００１９】
図２に示されるように、複数のエレベーター１は、大型百貨店に設けられる。複数のエレベーター１は、オフィスビルに設けられることもある。例えば、複数のエレベーター１は、駅舎に設けられることもある。
【００２０】
次に、図３を用いて、エレベーター１を説明する。
図３はこの発明の実施の形態１における推奨エレベーターへの案内装置が適用される複数のエレベーターのうちの１つのエレベーターの構成図である。
【００２１】
図３に示されるように、エレベーター１の昇降路５は、建築物の各階を貫く。エレベーター１の複数の乗場６の各々は、建築物の各階に設けられる。複数の乗場６の各々は、昇降路５に対向する。かご７は、昇降路５の内部に設けられる。
【００２２】
複数の乗場側カメラ８の各々は、複数の乗場６の各々の壁部に設けられる。複数の乗場側カメラ８の各々は、複数の乗場６の各々を撮影し得るように設けられる。複数の乗場側秤装置９の各々は、複数の乗場６の各々の床部に設けられる。複数の乗場側秤装置９の各々は、複数の乗場６の各々に存在する物体の重さを計測し得るように設けられる。
【００２３】
かご側カメラ１０は、かご７の天井部に設けられる。かご側カメラ１０は、かご７の内部を撮影し得るように設けられる。かご側秤装置１１は、かご７の床部に設けられる。かご側秤装置１１は、かご７の内部に存在する物体の重さを計測し得るように設けられる。
【００２４】
複数の無線通信装置１２の各々は、建築物の各階に設けられる。複数の無線通信装置１２の各々は、図２においては図示されない情報端末４と無線通信を確立し得るように設けられる。
【００２５】
次に、図４を用いて、案内装置３と情報端末４とを説明する。
図４はこの発明の実施の形態１における推奨エレベーターへの案内装置と情報端末とを説明するための図である。
【００２６】
図４に示されるように、案内装置３は、エレベーター位置情報記憶部３ａと混雑状況情報取得部３ｂと情報端末位置情報取得部３ｃと混雑状況情報記憶部３ｄと混雑傾向推定部３ｅと推奨エレベーター選択部３ｆと順路決定部３ｇと推奨エレベーター情報送信部３ｈとを備える。
【００２７】
エレベーター位置情報記憶部３ａは、複数のエレベーター１の位置の情報を記憶する。例えば、エレベーター位置情報記憶部３ａは、大型百貨店のフロア配置図の情報を予め記憶する。
【００２８】
混雑状況情報取得部３ｂは、小型コンピュータ２を介して複数のエレベーター１の混雑状況を示す情報を取得する。図４において図示されないが、混雑状況情報取得部３ｂは、複数のエレベーター１の各々について複数の乗場側カメラ８の各々から複数の乗場６の各々の映像情報を取得する。図４において図示されないが、混雑状況情報取得部３ｂは、複数のエレベーター１の各々について複数の乗場側秤装置９の各々から複数の乗場６の各々に存在する物体の重さの情報を取得する。図４において図示されるように、混雑状況情報取得部３ｂは、複数のエレベーター１の各々についてかご側カメラ１０からかご７の内部の映像情報を取得する。図４において図示されないが、混雑状況情報取得部３ｂは、複数のエレベーター１の各々についてかご側秤装置１１からかご７の内部に存在する物体の重さの情報を取得する。
【００２９】
情報端末位置情報取得部３ｃは、利用者が携帯する情報端末４から情報端末４の位置の情報を取得する。
【００３０】
混雑状況情報記憶部３ｄは、混雑状況情報取得部３ｂに取得される複数のエレベーター１の混雑状況を示す情報と当該情報が取得された時刻の情報とを対応付けて記憶する。
【００３１】
混雑傾向推定部３ｅは、混雑状況情報記憶部３ｄに記憶される情報に基づいて現時点における前記複数のエレベーター１の混雑の傾向を推定する。例えば、混雑傾向推定部３ｅは、混雑状況情報記憶部３ｄに記憶される情報から複数のエレベーター１における時間帯ごとの混雑状況を整理したうえで現時点における複数のエレベーター１の混雑の傾向を推定する。
【００３２】
推奨エレベーター選択部３ｆは、エレベーター位置情報記憶部３ａに記憶される複数のエレベーター１の位置の情報と混雑状況情報取得部３ｂに取得される複数のエレベーター１の混雑状況を示す情報と情報端末位置情報取得部３ｃに取得される情報端末の位置の情報と混雑傾向推定部３ｅに推定される現時点における複数のエレベーター１の混雑の傾向とに基づいて複数のエレベーター１の中から推奨エレベーターを選択する。
【００３３】
順路決定部３ｇは、利用者の情報端末４の位置から推奨エレベーター選択部３ｆの位置までの順路を決定する。
【００３４】
推奨エレベーター情報送信部３ｈは、推奨エレベーター選択部３ｆに選択される推奨エレベーターの情報と順路決定部３ｇに決定される推奨エレベーターへの順路の情報とを利用者が携帯する情報端末４に送信する。
【００３５】
図４に示されるように、情報端末４は、プログラム記憶部４ａと表示部４ｂとを備える。
【００３６】
プログラム記憶部４ａは、案内装置３にアクセスし得るアプリケーションソフトのプログラムを記憶する。
【００３７】
表示部４ｂは、プログラム記憶部４ａに記憶されたプログラムの動作に応じて情報を表示する。
【００３８】
次に、図５を用いて、情報端末４の表示部４ｂに表示される情報を説明する。
図５はこの発明の実施の形態１における推奨エレベーターへの案内装置が適用されるエレベーターシステムにおいて情報端末に表示される情報を説明するための図である。
【００３９】
図５に示されるように、情報端末４の表示部４ｂは、複数のエレベーター１の位置の情報を表示する。例えば、情報端末４の表示部４ｂは、複数のエレベーター１の位置の情報として複数の模式図を表示する。この際、情報端末４の表示部４ｂは、複数の模式図の各々に対応させて「Ａ」と「Ｂ」と「Ｃ」とのうちで対応した場所の記号を表示する。
【００４０】
情報端末４の表示部４ｂは、複数のエレベーター１の混雑状況を示す情報を表示する。例えば、情報端末４の表示部４ｂは、混雑しているエレベーター１の模式図に対応させて「混雑」を表示する。例えば、情報端末４の表示部４ｂは、空いているエレベーター１の模式図に対応させて「空き」を表示する。
【００４１】
情報端末４の表示部４ｂは、利用者の位置の情報を表示する。例えば、情報端末４の表示部４ｂは、利用者の位置の情報として星印と「現在位置」とを対応付けて表示する。
【００４２】
情報端末４の表示部４ｂは、情報端末４の位置から推奨エレベーターへの順路を表示する。例えば、情報端末４の表示部４ｂは、複数の矢印を組み合わせることにより情報端末４の位置から推奨エレベーターへの順路を表示する。例えば、空いているエレベーター１が推奨エレベーターとして選択される場合、情報端末４の表示部４ｂは、「空き」に対応したエレベーター１の模式図までの順路を表示する。
【００４３】
次に、図６を用いて、案内装置３の動作の概要を説明する。
図６はこの発明の実施の形態１における推奨エレベーターへの案内装置の動作の概要を説明するためのフローチャートである。
【００４４】
ステップＳ１では、案内装置３は、利用者の位置の情報を取得したか否かを判定する。ステップＳ１で利用者の位置の情報が取得されない場合は、案内装置３は、ステップＳ１の動作を繰り返す。ステップＳ１で利用者の位置の情報が取得された場合は、案内装置３は、ステップＳ２の動作を行う。
【００４５】
ステップＳ２では、案内装置３は、推奨エレベーターを選択する。その後、案内装置３は、ステップＳ３の動作を行う。ステップＳ３では、案内装置３は、情報端末４の位置から推奨エレベーターへの順路を決定する。その後、案内装置３は、ステップＳ４の動作を行う。ステップＳ４では、案内装置３は、推奨エレベーターの情報と推奨エレベーターへの順路の情報とを利用者が携帯する情報端末４に送信する。その後、案内装置３は、動作を終了する。
【００４６】
以上で説明した実施の形態１によれば、推奨エレベーターは、複数のエレベーター１の位置と複数のエレベーター１の混雑状況と情報端末４の位置とに基づいて選択される。情報端末４は、推奨エレベーターの情報を報知する。このため、利用者に対して推奨エレベーターをリアルタイムでより適切に報知することができる。
【００４７】
なお、推奨エレベーターの選択条件は、適宜設定される。例えば、空いているエレベーター１が推奨エレベーターとして選択される。この場合、利用者の待ち時間が長くなることを抑制することができる。例えば、最寄りのエレベーター１が推奨エレベーターとして選択される。この場合、利用者の移動による負担を抑制することができる。
【００４８】
また、混雑状況情報取得部３ｂは、複数のエレベーター１の各々についてかご側カメラ１０からかご７の内部の映像情報を取得する。混雑状況情報取得部３ｂは、複数のエレベーター１の各々についてかご側秤装置１１からかご７の内部に存在する物体の重さの情報を取得する。このため、かご７の混雑状況に基づいて推奨エレベーターを適切に選択することができる。
【００４９】
また、混雑状況情報取得部３ｂは、複数のエレベーター１の各々について複数の乗場側カメラ８の各々から複数の乗場６の各々の映像情報を取得する。混雑状況情報取得部３ｂは、複数のエレベーター１の各々について複数の乗場側秤装置９の各々から複数の乗場６の各々に存在する物体の重さの情報を取得する。このため、乗場６の混雑状況に基づいて推奨エレベーターを適切に選択することができる。
【００５０】
また、推奨エレベーターは、複数のエレベーター１の混雑の傾向も考慮して選択される。このため、利用者に対して推奨エレベーターをより適切に報知することができる。
【００５１】
なお、案内装置３において、無線通信装置１２と情報端末４との通信状態に基づいて情報端末４が存在する階を認識してもよい。この場合、情報端末４が存在する階も考慮して推奨エレベーターを選択すればよい。例えば、情報端末４が存在する階に停止する設定となっていないエレベーター１を推奨エレベーターの候補から除外してもよい。この場合、推奨エレベーターをより適切に選択することができる。
【００５２】
次に、図７を用いて、案内装置３の例を説明する。
図７はこの発明の実施の形態１における推奨エレベーターへの案内装置のハードウェア構成図である。
【００５３】
案内装置３の各機能は、処理回路により実現し得る。例えば、処理回路は、少なくとも１つのプロセッサ１３ａと少なくとも１つのメモリ１３ｂとを備える。例えば、処理回路は、少なくとも１つの専用のハードウェア１４を備える。
【００５４】
処理回路が少なくとも１つのプロセッサ１３ａと少なくとも１つのメモリ１３ｂとを備える場合、案内装置３の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１３ｂに格納される。少なくとも１つのプロセッサ１３ａは、少なくとも１つのメモリ１３ｂに記憶されたプログラムを読み出して実行することにより、案内装置３の各機能を実現する。少なくとも１つのプロセッサ１３ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１３ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００５５】
処理回路が少なくとも１つの専用のハードウェア１４を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、案内装置３の各機能は、それぞれ処理回路で実現される。例えば、案内装置３の各機能は、まとめて処理回路で実現される。
【００５６】
案内装置３の各機能について、一部を専用のハードウェア１４で実現し、他部をソフトウェアまたはファームウェアで実現してもよい。例えば、推奨エレベーター選択部３ｆの機能については専用のハードウェア１４としての処理回路で実現し、推奨エレベーター選択部３ｆの機能以外の機能については少なくとも１つのプロセッサ１３ａが少なくとも１つのメモリ１３ｂに格納されたプログラムを読み出して実行することにより実現してもよい。
【００５７】
このように、処理回路は、ハードウェア１４、ソフトウェア、ファームウェア、またはこれらの組み合わせによって、案内装置３の各機能を実現する。
【符号の説明】
【００５８】
１  エレベーター、  ２  小型コンピュータ、  ３  案内装置、  ３ａ  エレベーター位置情報記憶部、  ３ｂ  混雑状況情報取得部、  ３ｃ  情報端末位置情報取得部、  ３ｄ  混雑状況情報記憶部、  ３ｅ  混雑傾向推定部、  ３ｆ  推奨エレベーター選択部、  ３ｇ  順路決定部、  ３ｈ  推奨エレベーター情報送信部、  ４  情報端末、  ４ａ  プログラム記憶部、  ４ｂ  表示部、  ５  昇降路、  ６  乗場、７  かご、８  乗場側カメラ、  ９  乗場側秤装置、  １０  かご側カメラ、  １１  かご側秤装置、  １２  無線通信装置、  １３ａ  プロセッサ、  １３ｂ  メモリ、  １４  ハードウェア
【図１】
2018034986.tif 000003
【図２】
2018034986.tif 000004
【図３】
2018034986.tif 000005
【図４】
2018034986.tif 000006
【図５】
2018034986.tif 000007
【図６】
2018034986.tif 000008
【図７】
2018034986.tif 000009